(57)【要約】【課題】本発明の課題は、電気加熱調理器の薄型化を実現することにある。【解決手段】本発明に係る加熱調理器１００は、加熱源１１２、容器１１４および加熱板１６０，１９０を備える。容器は、平面視において加熱源の設置領域ＤＨ以外の領域に配置される。なお、ここにいう「加熱源の設置領域以外の領域」とは、例えば、平面視において加熱源の周辺の領域である。加熱板は、平面視において容器に対応する位置に切り欠き又は開口１６４，１９２を有する。そして、この加熱板は、加熱源の上方に設置される。【選択図】図２
2013236649.tif 000002
【特許請求の範囲】
【請求項１】
加熱源と、
平面視において前記加熱源の設置領域以外の領域に配置される容器と、
平面視において前記容器に対応する位置に切り欠き又は開口を有すると共に、前記加熱源の上方に設置される加熱板と
を備える、加熱調理器。
【請求項２】
加熱源と、
平面視において外方に向かって突起すると共に切り欠きまたは開口を有する突起部を少なくとも１つ有し、前記加熱源の上方に設置される加熱板と
を備える、加熱調理器。
【請求項３】
加熱源と、
開口または切り欠きと、波形表面とを有する加熱板と
を備え、
前記波形表面の谷部および山部の少なくとも一方は、前記開口または前記切り欠きに向かって傾斜角度を変化させつつ下方に傾斜している
加熱調理器。
【発明の詳細な説明】
【技術分野】
【０００１】
本発明は、加熱調理器に関する。
【背景技術】
【０００２】
過去に「ヒータと遮熱板（金属製の底板）との間に油受け皿を設けたホットプレート」が提案されている（例えば、特開２００４−１９４７９８号公報等参照）。
【先行技術文献】
【特許文献】
【０００３】
【特許文献１】特開２００４−１９４７９８号公報
【発明の概要】
【発明が解決しようとする課題】
【０００４】
ところで、近年、持ち運びの利便性や収容性等の理由からホットプレート等の加熱調理器の薄型化が求められている。
【０００５】
本発明の課題は、加熱調理器の薄型化を実現することにある。
【課題を解決するための手段】
【０００６】
本発明の第１局面に係る加熱調理器は、加熱源（ヒータ）、容器（油受け皿）および加熱板を備える。容器は、平面視において加熱源の設置領域以外の領域に配置される。なお、ここにいう「加熱源の設置領域以外の領域」とは、例えば、平面視において加熱源の周辺の領域である。加熱板は、平面視において容器に対応する位置に切り欠き又は開口を有する。そして、この加熱板は、加熱源の上方に設置される。
【０００７】
この加熱調理器では、上述の通り、平面視において加熱源の設置領域以外の領域に容器が配置される。このため、この加熱調理器は、容器の分だけ薄型化することができる。また、この加熱調理器では、容器に落下した油が容器の底から跳ね上がって加熱源に接触するおそれが極めて小さい。したがって、この加熱調理器では、調理時に油煙が生じるおそれを低減することができる。
【０００８】
本発明の第２局面に係る加熱調理器は、加熱源および加熱板を備える。加熱板は、突起部を少なくとも１つ有する。なお、この突起部は、奇数個設けられることが好ましい。また、この突起部は、平面視において非点対称に設けられることが好ましい。突起部は、平面視において外方に向かって突起する。また、この突起部は、切り欠きまたは開口を有する。そして、この加熱板は、加熱源の上方に設置される。
【０００９】
ところで、過去に「平面視において点対称な形状を呈するプレート（加熱板）を有するホットプレート」が提案されている（例えば、特開２００４−１９４７９８号公報等参照）。しかし、ホットプレート等の加熱調理器では、差込式の温度調節器が設けられていることが多く、例えば、プレートの底側の構造が点対称でない場合があり得る。本発明の課題は、このようにプレートの裏側の構造が平面視において点対称でない場合等において、簡単にプレートを正しい向きに配置することができる加熱調理器を提供することにある。
【００１０】
そして、この課題に対し、上述の第２局面に係る加熱調理器では、平面視において突起部を加熱板に非点対称に設ければ、加熱板の裏側の構造が点対称でない場合においても、簡単にプレートを正しい向きに配置することができる
【００１１】
本発明の第３局面に係る加熱調理器は、加熱源および加熱板を備える。加熱板は、開口または切り欠きと、波形表面とを有する。なお、この波形形状は、正弦波状であってもよいし、矩形波状であってもよいし、のこぎり波状であってもよいし、台形波状であってもよいし、三角波状であってもよいし、その他の波形状であってもよいし、これらの波形の組合せであってもよい。そして、波形表面の谷部および山部の少なくとも一方は、開口または切り欠きに向かって傾斜角度を変化させつつ下方に傾斜している。なお、傾斜角度は、段階的に変化してもよいし、連続的に変化してもよい。また、傾斜角度は、開口または切り欠きに向かうに従って浅くなってもよいし、開口または切り欠きに向かうに従って深くなってもよい。
【００１２】
ところで、過去に「肉から余分な脂を除去するため、プレート（加熱板）の表面を波形としたホットプレート」が提案されている（例えば、特開平１０−２６２８３７号公報等参照）。そして、近年、健康ブーム等の影響もあって更に効率的に肉から余分な脂を除去することができるホットプレート等の加熱調理器が待ち望まれている。本発明の課題は、効率的に肉から余分な脂を除去することができる加熱調理器を提供することにある。
【００１３】
そして、この課題に対し、上述の第３局面に係る加熱調理器では、加熱板の波形表面の谷部および山部の少なくとも一方が、開口または切り欠きに向かって傾斜角度を変化させつつ下方に傾斜している。このため、この加熱調理器では、効率的に肉から余分な脂を除去することができる。
【図面の簡単な説明】
【００１４】
【図１】本発明の実施の形態に係るホットプレートにプレート枠および穴開き波形プレートを装着したときの平面図である。
【図２】本発明の実施の形態に係るホットプレートのプレート枠およびプレート類を取り外したときの平面図である。
【図３】本発明の実施の形態に係るホットプレートにプレート枠および穴開き波形プレートを装着したときの縦断面図である。
【図４】本発明の実施の形態に係るホットプレートのプレート枠の底面図である。
【図５】本発明の実施の形態に係るホットプレートのプレート枠の側面図である。
【図６】本発明の実施の形態に係るホットプレートのプレート枠の正面図である。
【図７】本発明の実施の形態に係るホットプレートのプレート枠の背面図である。
【図８】本発明の実施の形態に係るホットプレートにおけるプレート枠と温度調節器との配置関係を示す底面図である。
【図９】本発明の実施の形態に係るホットプレートの穴開き波形プレートの斜視図である。
【図１０】本発明の実施の形態に係るホットプレートの穴開き波形プレートの平面図である。
【図１１】本発明の実施の形態に係るホットプレートの穴開き波形プレートの側面図である。
【図１２】図１０に示される穴開き波形プレートのＢ−Ｂ断面図である。なお、この断面図では、谷部が切断されている。
【図１３】図１０に示される穴開き波形プレートのＣ−Ｃ断面図である。なお、この断面図では、山部が切断されている。
【図１４】変形例（Ｉ）に係る平形プレートをホットプレートの本体に装着したときの平面図である。
【図１５】変形例（Ｉ）に係る平形プレートをホットプレートの本体に装着したときの縦断面図である。
【発明を実施するための形態】
【００１５】
＜本発明の実施の形態に係るホットプレートの構成＞
本発明の実施の形態に係るホットプレート１００は、図１、図２、図３および図８に示されるように、主に、本体１１０、プレート枠１５０、穴開き波形プレート１６０、平形プレート（図示せず）、たこ焼きプレート（図示せず）および温度調節器１８０から構成される。なお、穴開き波形プレート１６０、平形プレートおよびたこ焼きプレートは、交換可能である。なお、以下、これらのプレートをまとめて「プレート類」と称することがある。以下、これらの構成要素について詳述する。
【００１６】
（１）本体
本体１１０は、図２に示されるように、主に、温度調節器接続部１１１、ヒータ１１２、遮熱板１１３および油受け皿１１４から構成される。
【００１７】
温度調節器接続部１１１は、主に、一対の端子部１１１ａおよび差込口１１１ｂから構成される。一対の端子部１１１ａは、図３に示されるように、ヒータ１１２に連結されると共に、差込口１１１ｂの奥から外方に向かって伸びている。なお、この温度調節器接続部１１１は、ヒータ１１２と共に、本体１１０から取り外すことができるようになっている。
【００１８】
ヒータ１１２は、図２に示されるように、Ｍ字型ヒータであって、ヒータ設置領域（図２のハッチング部分）ＤＨに配置されている。なお、このヒータ１１２は、その両端部が温度調節器接続部１１１の端子部１１１ａに連結されている。
【００１９】
遮熱板１１３は、ヒータ１１２により生じる熱からテーブル等を保護する板であって、図３に示されるように、ヒータ１１２の下方に配置されている。また、この遮熱板１１３は、ヒータ１１２の輻射熱を積極的に反射する形状とされている。
【００２０】
油受け皿１１４は、加熱調理中にプレート類上に生じる油を受けるための容器であって、図２および図３に示されるように、主に、受け皿１１４ａおよび蓋体１１４ｂから構成されている。蓋体１１４ｂは、図２および図３に示されるように、開口ＯＰを有しており、受け皿１１４ａに着脱自在に被せられている。また、この油受け皿１１４には、開口を有しない収容時用の蓋体（図示せず）が別に用意されている。そして、この油受け皿１１４は、ヒータ１１２の温度調節器接続部側の反対側に配置されている。また、本発明の実施の形態において、油受け皿１１４は、図２に示されるように、ヒータ設置領域ＤＨの外の領域に配置されている。
【００２１】
（２）プレート枠
プレート枠１５０は、図４に示されるように、金属性の枠体である。このプレート枠１５０には、図１に示されるように、プレート類が着脱自在に嵌め込まれる。また、このプレート枠１５０には、図４に示されるように、誤装着防止リブ１５１、感熱棒挿入リブ１５２および開口１５３が設けられている。
【００２２】
誤装着防止リブ１５１は、図４に示されるように、プレート枠１５０の裏側において長手方向開口側、幅方向中央部に設けられている。この誤装着防止リブ１５１は、図５および図７に示されるように、立壁であって、プレート枠１５０が本体１１０に誤装着された場合において温度調節器１８０に設けられる感熱棒（後述）の挿入を阻害する。
【００２３】
感熱棒挿入リブ１５２は、図４に示されるように、プレート枠１５０の裏側において長手方向開口側の反対側、幅方向中央部に設けられている。そして、この感熱棒挿入リブ１５２には、図６に示されるように、感熱棒挿入孔１５２ａが形成されている。プレート枠１５０が本体１１０に正しく装着された場合、この感熱棒挿入孔１５２ａには、上述の感熱棒が挿入される。
【００２４】
開口１５３は、プレート類の開口に対応する位置に形成されている。
【００２５】
（３）プレート類
（３−１）穴開き波形プレート
穴開き波形プレート１６０は、図１、図９、図１０および図１１に示されるように、主に、平面部１６１、波面部１６２、突起部１６３および開口１６４から構成される。なお、平面視において、平面部１６１と波面部１６２との面積比は、約４：６とされている。
【００２６】
平面部１６１では、図１、図９および図１０に示されるように、調理面が平面とされている。
【００２７】
波面部１６２では、図１、図９および図１０に示されるように、調理面が矩形波面とされている。なお、より正確には、調理面は、平面視において、幅方向に矩形波形状を呈しており、長手方向に縞形状を呈している。また、「波面部１６２は山部１６２ａおよび谷部１６２ｂから形成されている」といえる。そして、山部１６２ａの頂面および谷部１６２ｂの底面は、図１２および図１３に示されるように、長手方向開口側に向かって傾斜角度を変化させつつ下方に傾斜している。なお、この波面部１６２では、傾斜角度は、開口１６４に向かうに従って段階的に浅くなるように変化している。また、この傾斜角度は、平面部側で最大４〜６度とされており、開口側で約１度とされている。
【００２８】
突起部１６３は、図１、図９および図１０に示されるように、平面視において略矩形の部位であって、平面視において長手方向波面部側に突起しており、外周がリブ１６３ａで覆われている。なお、この突起部１６３の幅は、波面部１６２の幅よりも短くなるように設計されている。そして、この突起部１６３が平面視において油受け皿１１４に重なるようにして穴開き波形プレート１６０が本体１１０上に設置されると、平面部１６１が温度調節器接続部側の低温部に位置し、波面部１６２が油受け皿側の高温部に位置する。
【００２９】
開口１６４は、突起部１６３に形成されており、上述の通りに穴開き波形プレート１６０がプレート枠１５０を介して本体１１０上に設置されると、プレート枠１５０の開口１５３を介して油受け皿１１４の真上に位置する。また、この開口１６４を形成する壁部１６４ａは、図３に示されるように、下方に延びており、油受け皿１１４の蓋体１１４ｂの開口ＯＰに嵌め込まれる。すなわち、穴開き波形プレート１６０の波面部１６２に生じる油は、開口１６４に向かって流れ、開口１６４を介して油受け皿１１４に回収されることになる。
【００３０】
（３−２）平形プレート
平形プレートは、波面部１６２が平面部１６１と同様の形状を呈することを除き、上述の穴開き波形プレート１６０と同一の構造を有する。
【００３１】
（３−３）たこ焼きプレート
たこ焼きプレートは、半球状の凹部が複数形成されていることを除き、上述の平形プレートと同一の構造を有する。
【００３２】
（４）温度調節器
温度調節器１８０は、図８に示されるように、略直方体の部品であって、本体１８１、感熱棒１８２、電源コード１８３および差込プラグ１８４から構成される。
【００３３】
（４−１）本体
本体１８１は、主に、筐体１８５、一対の端子受け部（図示せず）、電源スイッチ（図示せず）、可変抵抗器（図示せず）、ダイヤル式の温度調節ツマミ（図示せず）、インジゲータランプ（図示せず）、感熱棒接続部（図示せず）およびサーモスタット（図示せず）から構成されている。なお、端子受け部、電源スイッチ、可変抵抗器、インジゲータランプ、感熱棒接続部およびサーモスタットはいずれも筐体１８５に収められており、温度調節ツマミは筐体１８５の外部に露出するように設けられている。
【００３４】
端子受け部には、温度調節器接続部１１１の端子部１１１ａが挿入される。なお、端子受け部に温度調節器接続部１１１の端子部１１１ａが挿入されると、ヒータ１１２が通電可能な状態となる。
【００３５】
可変抵抗器のシャフトには、温度調節ツマミが取り付けられている。そして、温度調節ツマミには温度目盛が表示されており、使用者は、温度調節ツマミを回転させて温度目盛をインジゲータランプに合わせることによりヒータ１１２の出力を調節する。
【００３６】
また、可変抵抗器のシャフトには筐体１８５内においてスイッチ片が取り付けられており、使用者が温度調節ツマミを少し回したところで電源が入ると共にインジゲータランプが点灯するようになっている。
【００３７】
感熱棒接続部には、感熱棒１８２が接続されている。感熱棒接続部は、サーモスタットに通信接続されており、感熱棒１８２から送信される温度検知信号をサーモスタットに定期的に送信する。
【００３８】
サーモスタットは、感熱棒１８２により検知される温度（以下「検知温度」という）が温度調節ツマミの温度目盛に対応する温度（以下「設定温度」という）に達すると電源スイッチをオフにすると共にインジゲータランプを消灯し、検知温度が設定温度を下回ると再び電源スイッチをオンにすると共にインジゲータランプを点灯させる。
【００３９】
（４−２）感熱棒
感熱棒１８２は、いわゆるサーミスタであって、本体１８１から突出している。なお、温度調節器１８０が温度調節器接続部１１１に差し込まれた状態では、感熱棒１８２の先端はプレート枠１５０の下に位置する（図８参照）。
【００４０】
（４−３）電源コードおよび差込プラグ
電源コード１８３は、本体１８１から延びている。そして、その電源コード１８３の先端には、外部電源接続用の差込プラグ１８４が取り付けられている。
【００４１】
＜本発明の実施の形態に係るホットプレートの特徴＞
（１）
本発明の実施の形態に係るホットプレート１００では、油受け皿１１４は、平面視においてヒータ設置領域ＤＨの外に配置されている。その結果、このホットプレート１００は、平面視においてヒータ設置領域ＤＨの内部に油受け皿が配置される従前のホットプレートよりも薄型化されている（なお、実施品は、従来品よりも１５％程度の薄型化を達成している）。また、このホットプレート１００では、油受け皿１１４に落下した油が油受け皿１１４の底から跳ね上がってヒータ１１２に接触するおそれが極めて小さい。したがって、このホットプレート１００では、調理時に油煙が生じるおそれを低減することができる。また、従来、油受け皿には、油跳ね防止のために水が張られていたが、このホットプレート１００では、上述の効果が得られるため、油受け皿１１４に水を張る必要がない。このため、このホットプレート１００では、油受け皿１１４を小型化することができる。
【００４２】
（２）
本発明の実施の形態に係るホットプレート１００では、波面部１６２の山部１６２ａの頂面および谷部１６２ｂの底面が、長手方向開口側に向かって傾斜角度を変化させつつ下方に傾斜している。このため、このホットプレート１００では、傾斜面積を広く確保することができると共に、山部の頂面および谷部の底面が水平である波面部に比べて軽量化することができる。
【００４３】
（３）
本発明の実施の形態に係るホットプレート１００では、平面視において、穴開き波形プレート１６０の平面部１６１と波面部１６２との面積比が約４：６とされている。このため、このホットプレート１００では、プレート枠１５０に対するプレート類の誤装着のおそれを視覚的に低減することができる。
【００４４】
（４）
本発明の実施の形態に係るホットプレート１００では、プレート枠１５０に、誤装着防止リブ１５１が設けられている。このため、このホットプレート１００では、使用者がプレート枠を本体１１０に誤装着したままヒータ１１２に通電してしまうことを防止することができる。
【００４５】
（５）
本発明の実施の形態に係るホットプレート１００では、プレート類に突起部１６３が設けられており、プレート類が平面視において非点対称な形状となっている。このため、このホットプレート１００では、プレート枠１５０に対するプレート類の誤装着のおそれを視覚的に低減することができる。
【００４６】
（６）
本発明の実施の形態に係るホットプレート１００では、穴開き波形プレート１６０において突起部１６３の外周がリブ１６３ａで覆われている。このため、このホットプレート１００では、突起部１６３の隅に流れる油をリブ１６３ａに沿わせて開口１６４まで導くことができる。
【００４７】
（７）
本発明の実施の形態に係るホットプレート１００では、穴開き波形プレート１６０において突起部１６３の幅が波面部１６２の幅よりも短くなるように設計されている。このため、このホットプレート１００では、油を効率よく開口１６４に導くことができる。
【００４８】
＜変形例＞
（Ａ）
先の実施の形態に係るホットプレート１００では本体１１０の正面側に温度調節器接続部１１１が配置され、本体１１０の背面側に油受け皿１１４が配置されたが、温度調節器接続部１１１および油受け皿１１４の配置は、本願発明の趣旨を著しく損なわない範囲で自由に変更してもよい。
【００４９】
（Ｂ）
先の実施の形態に係るホットプレート１００ではプレート枠１５０にプレート類が着脱自在に嵌め込まれたが、プレート枠１５０がプレート類と一体とされてもよい。なお、かかる場合、誤装着防止リブ１５１および感熱棒挿入リブ１５２は、その一体品それぞれに設けられることになる。
【００５０】
（Ｃ）
先の実施の形態に係るホットプレート１００ではプレート枠１５０に感熱棒挿入リブ１５２が設けられたが、感熱棒挿入リブ１５２は省略されてもよい。
【００５１】
（Ｄ）
先の実施の形態に係るホットプレート１００では穴開き波形プレート１６０において、山部１６２ａの頂面および谷部１６２ｂの底面が共に長手方向開口側に向かって傾斜角度を変化させつつ下方に傾斜していたが、山部１６２ａの頂面および谷部１６２ｂの底面のいずれかのみが下方に傾斜し、残りの面が水平に保たれてもよい。
【００５２】
（Ｅ）
先の実施の形態に係るホットプレート１００では穴開き波形プレート１６０において、突起部１６３に開口１６４が形成されたが、突起部１６３に切り欠きが形成されてもかまわない。かかる場合、突起部１６３では、側面にのみリブが形成されることになる。
【００５３】
（Ｆ）
先の実施の形態に係るホットプレート１００では穴開き波形プレート１６０の波面部１６２において、山部１６２ａの頂面および谷部１６２ｂの底面の傾斜角度が、開口１６４に向かうに従って段階的に浅くなるように変化していたが、山部１６２ａの頂面および谷部１６２ｂの底面の傾斜角度は、開口１６４に向かうに従って連続的に浅くなるように変化してもよいし、開口１６４に向かうに従って段階的に深くなるように変化してもよいし、開口１６４に向かうに従って連続的に深くなるように変化してもよい。
【００５４】
（Ｇ）
先の実施の形態では特に言及しなかったが、遮熱板１１３の溝に油受け皿設置用の穴部を設けてもよい。なお、かかる場合、その穴部は、直接床面に通じる部分とすることが好ましい。
【００５５】
（Ｈ）
先の実施の形態に係るホットプレート１００では穴開き波形プレート１６０において、平面部１６１および波面部１６２が設けられたが、平面部１６１が波面部とされてもかまわない（すなわち、全調理面が矩形波面とされてもかまわない）。かかる場合、波面部１６２は、長手方向中央付近から正面側および背面側の両側に向かって下方に傾斜してもよい。なお、この際、本体１１０の正面側および背面側の２箇所に開口１６４が形成されることになる。また、かかる場合、温度調節器接続部１１１は、本体１１０の右側面側、左側面側あるいは角部分に設けられる。
【００５６】
（Ｉ）
先の実施の形態に係るホットプレート１００では平形プレートが用意されたが、この平形プレートに代えて、図１４および図１５に示される平形プレート１９０が採用されてもよい。この平形プレート１９０は、図１４に示されるように、主に、平板部１９１、開口１９２、リブ１９３、誤装着防止リブ（図示せず）および感熱棒挿入リブ（図示せず）から形成される。平板部１９１は、通常の平板状の鉄板部分である。開口１９２は、平面視において矩形の開口であり、平形プレート１９０の端部であって油受け皿１１４に対応する位置に形成されている。なお、この開口１９２は、調理時のカスやゴミを油受け皿１１４に落とすために設けられている。リブ１９３は、約２〜３ｍｍ程度の立壁であって、図１４に示されるように、開口１９２の本体部側近傍に形成されており、調理中に平板部１９１で発生する水分等の液体が開口に落下するのを防止している。誤装着防止リブおよび感熱棒挿入リブは、先の実施の形態に係る誤装着防止リブ１５１および感熱棒挿入リブ１５２と同一である。
【００５７】
なお、本変形例において、開口１９２は平面視において楕円形を呈していてもよい。
【符号の説明】
【００５８】
１００      ホットプレート（加熱調理器）
１１２      ヒータ（加熱源）
１１４      油受け皿（容器）
１６０      穴開き波形プレート（加熱板）
１６２ａ    山部
１６２ｂ    谷部
１６３      突起部
１６４      開口
１９０      平形プレート（加熱板）
１９２      開口
ＤＨ        ヒータ設置領域（加熱源の設置領域）
【図１】
2013236649.tif 000003
【図２】
2013236649.tif 000004
【図３】
2013236649.tif 000005
【図４】
2013236649.tif 000006
【図５】
2013236649.tif 000007
【図６】
2013236649.tif 000008
【図７】
2013236649.tif 000009
【図８】
2013236649.tif 000010
【図９】
2013236649.tif 000011
【図１０】
2013236649.tif 000012
【図１１】
2013236649.tif 000013
【図１２】
2013236649.tif 000014
【図１３】
2013236649.tif 000015
【図１４】
2013236649.tif 000016
【図１５】
2013236649.tif 000017